(57)【要約】      （修正有）【課題】火気やバキューム装置等を使用することなく、持ち運びができ、どのような場所であってもカッピング療法を行えるようにできるヒーリングカップを提供する。【解決手段】ヒーリングカップ１は、円筒部２ａを有するカップ形容器２と、この円筒部２ａをシリンダーとして動くピストン３とを有しており、ピストン３は、その外周面がカップ形容器２の内周面と密接しながら、カップ形容器２内において移動することができるように構成されている。さらに、ピストン３には、ピストン３が動く方向と平行方向に延びる軸棒５を介して、カップ形容器の外側に配置された回転ツマミ６が取り付けられており、回転ツマミ６を回転させることによって、ピストン３が移動するように構成されている。【選択図】図１
0003182768.tif 000002
【実用新案登録請求の範囲】
【請求項１】
円筒部を有するカップ形容器と、当該カップ形容器の円筒部をシリンダーとして、当該カップ形容器内において動くピストンとを有するヒーリングカップにおいて、
前記ピストンが、その外周面が前記カップ形容器の内周面と密接しながら、カップ形容器内において移動することができるように構成されていることを特徴とするヒーリングカップ。
【請求項２】
円筒部を有するカップ形容器と、当該カップ形容器の円筒部をシリンダーとして、当該カップ形容器内において動くピストンとを有するヒーリングカップにおいて、
前記ピストンが、その外周面が前記カップ形容器の内周面と密接しながら、カップ形容器内において移動することができるように構成されており、
前記ピストンには、当該ピストンが動く方向と平行方向に延びる軸棒を介して、カップ形容器の外側に配置された回転ツマミが取り付けられており、当該回転ツマミを回転させることによって、前記ピストンが移動するように構成されていることを特徴とするヒーリングカップ。
【請求項３】
円筒部を有するカップ形容器と、当該カップ形容器の円筒部をシリンダーとして、当該カップ形容器内において動くピストンとを有するヒーリングカップにおいて、
前記ピストンが、その外周面が前記カップ形容器の内周面と密接しながら、カップ形容器内において移動することができるように構成されており、
前記ピストンには、当該ピストンが動く方向と平行方向に延びる軸棒を介して、カップ形容器の外側に配置された回転ツマミが取り付けられており、当該回転ツマミを回転させることによって、前記ピストンが移動するように構成されているネジ機構を有していることを特徴とするヒーリングカップ。
【考案の詳細な説明】
【技術分野】
【０００１】
本考案は、カッピング（吸角）療法に使用するカップ（ヒーリングカップ）に関するものである。
【背景技術】
【０００２】
従来より、カッピング（吸角）療法として、人体の皮膚にカップ形の容器を当て、この容器内を負圧状態とすることによって、皮膚を吸引し、人体のツボを刺激する施術が行われている。このカッピング療法は、血行の促進、汚れた血液の浄化、新陳代謝の活発化、筋肉のコリの緩和等について優れた効果があるとされ、近年、特に人気のある療法の一つとして認められている。
【０００３】
ところで、このカッピング療法においては、人体の皮膚に当てたカップ形の容器内を、負圧状態にする必要がある。そして、その方法として、従来より、モグサやアルコールを容器内で燃焼させたり、バキューム装置等を使用して容器内の空気を抜いたりする方法が実施されている。
【０００４】
しかしながら、モグサやアルコールを容器内で燃焼させる方法は、火気を使用するため、施術対象者や施術者の安全性を確保するという点で問題がある。また、火気の使用は、都市のビル内にある治療院等においては、消防法等の関係から認められない場合も多く、実施のし易さという点において問題があった。
【０００５】
さらに、バキューム装置等を使用して容器内の空気を抜く方法は、火気の使用に関する問題は無いものの、バキューム装置という比較的大掛かりで高価な機械の準備や、バキューム装置を作動させるための電源の確保等が必要になり、こちらも実施のし易さという点において問題があった。
【０００６】
また、これら火気やバキューム装置を必要とする従来の方法では、治療院等以外の場所、例えば、スポーツ選手の遠征先や競技の実施場所等において、カッピング療法を行うことが非常に困難であるという問題があった。
【０００７】
本願考案者は、このような実情のもと、以上のような問題を解決する方法について鋭意検討を重ねた。その結果、本願考案者は、円筒部を有するカップ形容器と、当該カップ形容器の円筒部をシリンダーとして、当該カップ形容器内において動くピストンとを有するヒーリングカップにおいて、前記ピストンを、その外周面が前記カップ形容器の内周面と密接しながら、カップ形容器内において移動することができるように構成することによって、以上のような問題を解決することができるという知見を得、本考案を創作するに至った。
【考案の概要】
【考案が解決しようとする課題】
【０００８】
本考案は、火気やバキューム装置等を使用することなく、持ち運びができ、どのような場所であってもカッピング療法を行えるようにできるヒーリングカップを提供することを目的とする。
【課題を解決するための手段】
【０００９】
そのための手段として、本考案に係るヒーリングカップは、円筒部を有するカップ形容器と、当該カップ形容器の円筒部をシリンダーとして、当該カップ形容器内において動くピストンとを有するヒーリングカップにおいて、前記ピストンが、その外周面が前記カップ形容器の内周面と密接しながら、カップ形容器内において移動することができるように構成されていることを特徴としている。
【００１０】
また、本考案に係るヒーリングカップは、円筒部を有するカップ形容器と、当該カップ形容器の円筒部をシリンダーとして、当該カップ形容器内において動くピストンとを有するヒーリングカップにおいて、前記ピストンは、その外周面が前記カップ形容器の内周面と密接しながら、カップ形容器内において移動することができるように構成されており、前記ピストンには、当該ピストンが動く方向と平行方向に延びる軸棒を介して、カップ形容器の外側に配置された回転ツマミが取り付けられており、当該回転ツマミを回転させることによって、前記ピストンが移動するように構成されていることも特徴としている。
【００１１】
さらに、本考案に係るヒーリングカップは、円筒部を有するカップ形容器と、当該カップ形容器の円筒部をシリンダーとして、当該カップ形容器内において動くピストンとを有するヒーリングカップにおいて、前記ピストンは、その外周面が前記カップ形容器の内周面と密接しながら、カップ形容器内において移動することができるように構成されており、前記ピストンには、当該ピストンが動く方向と平行方向に延びる軸棒を介して、カップ形容器の外側に配置された回転ツマミが取り付けられており、当該回転ツマミを回転させることによって、前記ピストンが移動するように構成されているネジ機構を有していることも特徴としている。
【考案の効果】
【００１２】
本考案によれば、火気やバキューム装置等を使用することなく、持ち運びができ、どのような場所であってもカッピング療法を行えるようにできるヒーリングカップを提供することができる。
【図面の簡単な説明】
【００１３】
【図１】本考案の実施形態に係るヒーリングカップの外観図１
【図２】本考案の実施形態に係るヒーリングカップの外観図２
【図３】ピストン３の外観図
【考案を実施するための形態】
【００１４】
以下、本考案に係るヒーリングカップを実施するための形態について、図面を参照しながら説明する。図１は、本実施形態に係るヒーリングカップ１の外観を示したものである。図示されているように、ヒーリングカップ１は、基本的に、カップ形容器２と、このカップ形容器２内において動くピストン３とを有している。
【００１５】
カップ形容器２は、アクリル樹脂等の透明な素材によって構成されており、円筒部２ａを有している。ピストン３は、この円筒部２ａをシリンダーとして、カップ形容器２内において移動することができるようになっている。なお、図中の４は、ピストン３の外周面に取り付けられたリング状のゴムを示している。
【００１６】
そして、ピストン３には、このピストン３が動く方向と平行方向に延びる軸棒５を介して、カップ形容器２の外側に配置された回転ツマミ６が取り付けられている。また、回転ツマミ６、及び、回転ツマミ６の台座７には、共にネジ溝が設けられている。そのため、これら回転ツマミ６及び台座７がネジ機構となって、回転ツマミ６を回転させると、ピストン４が、カップ形容器２内において移動するようになっている。なお、台座７は、当然ながら、カップ形容器２に固定されている。
【００１７】
本考案に係るヒーリングカップ１は、以上のような構成となっているので、図１に示した状態のものを、施術対象者の皮膚に置き、回転ツマミ６を回すだけで、カップ形容器２内を負圧状態とすることでき、非常に簡単にカッピング療法を実施することができる。ここで、図２として、回転ツマミ６を回し、ピストン３を上に移動させた状態のヒーリングカップ１を示した。
【００１８】
なお、本考案に係るヒーリングカップ１については、図３に示したように、ピストン３の底面（施術対象者の皮膚に触れる面）にリング状の溝を設け、ここに、ゴム８を埋設するようにしても良い。このような構成とすることで、よりピストン３の底面と施術対象者の皮膚との密着度が高まり、カップ形容器２内を、より効果的に負圧状態とすることができるからである。
【産業上の利用可能性】
【００１９】
本考案は、以上に説明したような構成となっているので、本考案によれば、火気やバキューム装置等を使用することなく、持ち運びができ、どのような場所であってもカッピング療法を行えるようにできるヒーリングカップを提供することができる。
【００２０】
なお、本考案は、当然ながら、以上の実施形態で説明したヒーリングカップに限定されるものではない。さらに、本考案の範囲には、本考案の技術的思想が具現化されたものも含まれるものとする。
【符号の説明】
【００２１】
１：ヒーリングカップ、
２：カップ形容器、
３：ピストン、
４：ピストン３の外周面に取り付けられたリング状のゴム、
５：軸棒、
６：回転ツマミ、
７：台座、
８：ピストン３の底面に埋設されたゴム、
【図１】
0003182768.tif 000003
【図２】
0003182768.tif 000004
【図３】
0003182768.tif 000005